(57)【要約】【課題】選別部品を用いることなく、正確に媒体を判別することができる媒体判別装置を得ること。【解決手段】記憶部５４に、温度に対応して複数の閾値を定義した閾値テーブルを記憶しておき、判定処理部５３は、ディスク４が挿入されたか否かを判別する前に、温度センサ３の温度センサ出力ＴＯ１を取得して、取得した温度センサ出力ＴＯ１の値に基づいて閾値テーブルの中から閾値を選択して、選択した閾値と光センサ２の光センサ出力ＳＶ１とを比較して、光センサ出力ＳＶ１が選択した閾値を超えた場合にディスク４が挿入されたと判別する。【選択図】        図３
2005265695.tif 000002
【特許請求の範囲】
【請求項１】
光学式のセンサの出力を監視して、このセンサの出力と所定の閾値とを比較して媒体の有無を判別する媒体判別装置において、
前記光学式のセンサの使用条件に基づいて前記閾値を変更する判定処理部、
を備えることを特徴とする媒体判別装置。
【請求項２】
前記光学式のセンサの使用条件に対応して複数の閾値が定義される閾値テーブル、
をさらに備え、
前記判定処理部は、
前記光学式のセンサの使用条件を測定して、この測定結果に基づいて前記閾値テーブルに定義されている閾値を選択することを特徴とする請求項１に記載の媒体判別装置。
【請求項３】
前記使用条件を、前記光学式のセンサの環境温度とすることを特徴とする請求項１または２に記載の媒体判別装置。
【請求項４】
前記使用条件を、前記光学式のセンサに供給する電源電圧とすることを特徴とする請求項１または２に記載の媒体判別装置。
【請求項５】
前記使用条件を、前記光学式のセンサの環境温度および前記光学式のセンサに供給する電源電圧とすることを特徴とする請求項１または２に記載の媒体判別装置。
【請求項６】
記録媒体が挿入されたことを検知すると前記記録媒体をローディングして前記記録媒体の再生処理を行う記録媒体再生装置において、
請求項１〜５の何れか一つに記載の媒体判別装置を備え、この媒体判別装置によって前記記録媒体が挿入されたことを検知することを特徴とする記録媒体再生装置。
【請求項７】
光学式のセンサの出力を監視して、このセンサの出力と所定の閾値とを比較して媒体の有無を判別する媒体判別方法において、
前記光学式のセンサの使用条件に基づいて前記閾値を変更することを特徴とする媒体判別方法。
【請求項８】
光学式のセンサの出力を監視して、このセンサの出力と所定の閾値とを比較して媒体の有無を判別する媒体判別プログラムにおいて、
前記光学式のセンサの使用条件を測定する使用条件測定ステップと、
この使用条件測定ステップによって測定された使用条件に基づいて、予め定められている使用条件に対応した複数の閾値の中から閾値を選択する閾値選択ステップと、
この選択閾値選択ステップによって選択された閾値と前記光学式のセンサの出力とを比較して、この比較の結果に基づいて前記媒体の有無を判別する判定ステップと、
を備えることを特徴とする媒体判別プログラム。
【発明の詳細な説明】
【技術分野】
【０００１】
この発明は、光学式のセンサによって媒体の有無を判別する媒体判別装置に関する。
【背景技術】
【０００２】
非接触で物体の有無を判別する光学式のセンサ（以下、光センサとする）は、ＡＴＭ（自動金銭支払機）の紙幣投入の有無の判別や、自動販売機のコインの投入の有無の判別、自動改札の切符や定期券の有無などの判別など、様々な用途に用いられている。記録媒体再生装置においても、装置内にＣＤ（Compact Disc）やＤＶＤ（Digital Versatile Disc）などの記録媒体（以下、ディスクとする）が挿入されたか否かを判別するために、光センサを用いることが多い。
【０００３】
たとえば、特許文献１に記載の従来技術では、発光素子である発光ダイオード（ＬＥＤ：Light Emitting Diode）と受光素子であるフォトトランジスタとで構成される光センサ、およびマイクロスイッチを用いて、外形約１２ｃｍのＣＤやＤＶＤ等のディスク、および外形約１２ｃｍの円形状のアダプタに外形約８ｃｍの小型のＣＤが取り付けられることで実現される擬似的なディスクと、外形約８ｃｍのＣＤとを判別する情報記録媒体搬送装置に関する技術が開示されている。
【０００４】
具体的には、搬送ローラで搬送対象物を挿入中に、光センサである挿入検知センサがディスクを最初に検知して、ディスクを検知時点から所定のマスキング時間の間に、挿入検知センサの検知信号が変化せず、かつマイクロスイッチである２つの外形検知センサの検知信号のみが変化した場合に、そのディスクが外形約１２ｃｍのＣＤやＤＶＤ等のディスク、または外形約１２ｃｍの円形状のアダプタに外形約８ｃｍの小型のＣＤが取り付けられた擬似的なディスクであると判断するようにしている。
【０００５】
【特許文献１】特開２００３−３３８１１２号公報
【発明の開示】
【発明が解決しようとする課題】
【０００６】
特許文献１に記載の従来技術では、マイクロプロセッサを備えたシステムコントローラによって情報記録媒体搬送装置および情報記録媒体搬送装置を備えた情報記録再生装置を制御している。そのため、光センサの出力をデジタル値に変換して、変換したデジタル値の光センサの出力を予め定められた閾値によって２値化して検知信号としている。すなわち、光センサの出力が閾値を超えた場合は検知信号を“Ｈ”とし、光センサの出力が閾値よりも小さい場合を“Ｌ”としている。すなわち、ディスクが挿入されていない時には光センサの出力が低く、ディスクが挿入されると光センサの出力が高くなるので、この変化を閾値によって検出している。
【０００７】
ところで、電源変動や部品バラツキ、環境温度、経年変化によって光センサの出力は変化する。たとえば、電源変動に対しては、光センサに供給する電源が高くなると、光センサを構成するＬＥＤに流れる電流が大きくなってＬＥＤが発する光は強くなる。そのため、フォトトランジスタがオンになった時の光電流が大きくなり、フォトトランジスタがオンの時のコレクタ電圧、すなわち光センサの出力は小さくなる。また、光センサに供給する電源が低ければ、ＬＥＤに流れる電流は小さくなってＬＥＤが発する光は弱くなる。そのため、フォトトランジスタがオンになった時の光電流が小さくなり、フォトトランジスタがオンの時のコレクタ電圧、すなわち光センサの出力は大きくなる。
【０００８】
また、環境温度によっても、光センサの出力は変動する。たとえば、ＬＥＤは、温度が低くなると発する光が強くなり、温度が高くなると発する光が弱くなる傾向にある。一方、フォトトランジスタは、温度が低くなると感度が低く（光電流が小）なり、温度が高くなると感度が高く（光電流が大）なる傾向にある。ＬＥＤとフォトトランジスタの組み合わせでは、フォトトランジスタの影響がＬＥＤに比べ大きいため、温度が高くなるとフォトトランジスタがオンになった時の光電流が大きくなって光センサの出力は小さくなり、温度が低くなるとフォトトランジスタがオンになった時の光電流が小さくなって光センサの出力は大きくなる。また、これは、光センサとしてＬＥＤとフォトトランジスタを使用する場合であるため、他の光センサを使用する場合は上記の傾向と同じになるとは限らない。
【０００９】
また、近年では、透過率の高いシースルーディスク（C-Thru Disc）が開発された。この透過率の高いシースルーディスクが挿入された場合、ディスクを挿入しても光センサ内のＬＥＤの光がフォトトランジスタに照射されてしまうので、ディスクを挿入していない時とシースルーディスが挿入された時との光センサの差分が小さくなる。
【００１０】
図１は、電源変動や部品バラツキ、環境温度、経年変化などの部品に依存する条件と、シースルーディスクの透過率を考慮した場合の、光センサの出力（光センサの出力電圧）の変動の一例を示している。閾値は、ディスク挿入時の光センサの出力のバラツキによるバラツキ範囲１００と、ディスク挿入前の光センサの出力のバラツキによるバラツキ範囲１２０との間の、動作可能範囲１１０内に設定しなければならない。
【００１１】
しかしながら、低温時の条件に合わせてディスクの有無を判別する閾値ＳＨ１を設定すると、常温時にはギリギリでディスクを判別することはできるが、高温時ではディスクを判別することはできない。また、高温時の条件に合わせてディスクの有無を判別する閾値ＳＨ３を設定すると、常温時にはギリギリでディスクを判別することはできるが、低温時ではディスクを判別することはできない。常温時の条件に合わせてディスクの有無を判別する閾値ＳＨ２を設定すると、低温時および高温時にはギリギリでディスクを判別することはできるが、マージンが少ないため、誤動作する可能性が大きくなる。
【００１２】
このように、従来技術では、電源変動や部品バラツキ、環境温度、経年変化などによる条件とシースルーディスクのように透過率の高いディスクの透過率とを考慮して、ディスクの有無を判別する閾値を１つに決定することは、困難であるという問題が一例としてあげられる。
【００１３】
たとえば、常温時の条件に合わせて閾値を設定して、部品を選別することで部品バラツキを抑えることで、低温時および高温時の動作可能範囲を広げることでマージンを大きくすることも考えられる。しかしながら、選別部品を使用すればディスクを判別することは可能になるが、装置のコストが高くなるという問題が一例として挙げられる。
【００１４】
本発明は、上記に鑑みてなされたものであって、選別部品を用いることなく、正確に媒体を判別することができる媒体判別装置を得ることを目的としている。
【課題を解決するための手段】
【００１５】
請求項１に記載の発明は、光学式のセンサの出力を監視して、このセンサの出力と所定の閾値とを比較して媒体の有無を判別する媒体判別装置において、前記光学式のセンサの使用条件に基づいて前記閾値を変更する閾値判定処理部、を備えることを特徴とする。
【００１６】
また、請求項６に記載の発明は、記録媒体が挿入されたことを検知すると前記記録媒体をローディングして前記記録媒体の再生処理を行う記録媒体再生装置において、請求項１〜５の何れか一つに記載の媒体判別装置を備え、この媒体判別装置によって前記記録媒体が挿入されたことを検知することを特徴とする。
【００１７】
また、請求項７に記載の発明は、光学式のセンサの出力を監視して、このセンサの出力と所定の閾値とを比較して媒体の有無を判別する媒体判別方法において、前記光学式のセンサの使用条件に基づいて前記閾値を変更することを特徴とする。
【００１８】
また、請求項８に記載の発明は、光学式のセンサの出力を監視して、このセンサの出力と所定の閾値とを比較して媒体の有無を判別する媒体判別プログラムにおいて、前記光学式のセンサの使用条件を測定する使用条件測定ステップと、この使用条件測定ステップによって測定された使用条件に基づいて、予め定められている使用条件に対応した複数の閾値の中から閾値を選択する閾値選択ステップと、この選択閾値選択ステップによって選択された閾値と前記光学式のセンサの出力とを比較して、この比較の結果に基づいて前記媒体の有無を判別する判定ステップと、を備えることを特徴とする。
【発明を実施するための最良の形態】
【００１９】
以下に添付図面を参照して、本発明にかかる媒体判別装置、記録媒体再生装置、媒体判別方法、および媒体判別プログラムの好適な実施の形態を詳細に説明する。
【００２０】
［概要および特徴］
この発明における媒体判別装置は、光センサの出力が、光センサが使用される環境温度や、光センサに供給される電源電圧の変動などの使用条件によって変化することに着目して、温度または電源電圧によってディスクの有無を判別する閾値を可変にするものである。
【００２１】
すなわち、予め温度や電源電圧に対応させた複数の閾値を設定しておき、ディスクの有無の判別を行う直前に、温度または電源電圧を測定して、予め設定されている閾値の中から測定した温度または電源電圧に基づいて閾値を選択して、選択した閾値を用いてディスクの有無を判別する。これにより、温度や電源電圧の変動による影響を抑制することができ、選別部品を用いることなく、正確にディスクの有無を判定することができる。
【実施例１】
【００２２】
図２〜図７を参照してこの発明における実施例１を説明する。図２は、この発明における媒体判別装置１を備える記録媒体再生装置９の構成を示すブロック図である。記録媒体再生装置９は、ＣＤやＤＶＤなどの記録媒体であるディスク４が挿入されたか否かを判別する媒体判別装置１と、媒体判別装置１によってディスク４が挿入されたと判別されると、ディスク４をローディングして再生処理を行う再生処理部９１とを備えている。
【００２３】
図３は、図２に示した、この発明における媒体判別装置１の構成を示すブロック図である。この発明における媒体判別装置１は、光センサ２と、温度センサ３と、マイクロプロセッサ（以下、マイコンとする）５とを備えている。
【００２４】
光センサ２は、たとえば、発光素子としてのＬＥＤと、受光素子としてのフォトトランジスタとで構成される。光センサ２は、ＬＥＤからの光によってオン／オフ制御されるフォトトランジスタのコレクタ電圧を光センサ出力ＳＶとしてマイコン５に出力する。
【００２５】
温度センサ３は、たとえば、サーミスタや測温抵抗体、感温フェライトなどで構成され、温度を測定し、測定した温度を電圧に変換して温度センサ出力ＴＯとしてマイコン５に出力する。
【００２６】
マイコン５は、２つのデジタル・アナログ変換器（以下、Ａ／Ｄコンバータとする）５１，５２と、判定処理部５３と、記憶部５４とを備え、図示していないプログラム格納メモリに格納されているプログラムを実行することで判定処理部５３の機能を実現し、光センサ２から入力される光センサ出力ＳＶ、および温度センサから入力される温度センサ出力ＴＯを監視して、媒体判別装置１にディスク４が挿入されたか否かを判別する。
【００２７】
Ａ／Ｄコンバータ５１は、光センサ２から入力される光センサ出力ＳＶをデジタル値に変換して、変換した電圧値を光センサ出力ＳＶ１として判定処理部５３に出力する。Ａ／Ｄコンバータ５２は、温度センサ３から入力される温度センサ出力ＴＯをデジタル値に変換して、変換した電圧値を温度センサ出力ＴＯ１として判定処理部５３に出力する。
【００２８】
記憶部５４は、たとえば、ＲＯＭ（Read Only Memory）やＲＡＭ（Random Access Memory）で構成され、図４に示すように、低温時の閾値として閾値ＳＨ１１が、常温時の閾値として閾値ＳＨ１２が、高温時の閾値として閾値ＳＨ１３が定義された閾値テーブルを記憶する。これらの閾値は、図５に示すように、電源変動や部品バラツキ、環境温度、経年変化などの部品に依存する条件と、シースルーディスクの透過率を考慮した場合の、光センサ出力ＳＶ１の変動に基づいて決定する。すなわち、ディスク挿入時の光センサの出力のバラツキによるバラツキ範囲１００と、ディスク挿入前の光センサの出力のバラツキによるバラツキ範囲１２０との間の動作可能範囲１１０内の適切な値に決定する。
【００２９】
判定処理部５３は、Ａ／Ｄコンバータ５２から入力される温度センサ出力ＴＯ１に基づいて記憶部５４に記憶されている閾値テーブルから閾値を選択して、選択した閾値とＡ／Ｄコンバータ５１から入力される光センサ出力ＳＶ１とを比較して、媒体判別装置１にディスクが挿入されたか否かを判別する。
【００３０】
つぎに、図６のフローチャートを参照して、この発明における実施例１の媒体判別装置１の動作を説明する。再生処理部９１からディスク４を挿入するローディング動作要求を受けると、判定処理部５３は、Ａ／Ｄコンバータ５２から入力される温度センサ出力ＴＯ１を取得する（ステップＳ１００，Ｓ１１０）。
【００３１】
判定処理部５３は、取得した温度センサ出力ＴＯ１に基づいて、記憶部５４に記憶されている閾値テーブルから閾値を選択する（ステップＳ１２０）。具体的には、取得した温度センサ出力ＴＯ１が低温時の温度範囲内の値であれば低温時の閾値ＳＨ１１を選択し、取得した温度センサ出力ＴＯ１が常温時の温度範囲の値であれば常温時の閾値ＳＨ１２を選択し、取得した温度センサ出力ＴＯ１が高温時の温度範囲の値であれば高温時の閾値ＳＨ１３を選択して、ディスク４が挿入されたか否かの判別の閾値とする。
【００３２】
判定処理部５３は、Ａ／Ｄコンバータ５１から入力される光センサ出力ＳＶ１を取得する（ステップＳ１３０）。判定処理部５３は、取得した光センサ出力ＳＶ１と選択した閾値とを比較する（ステップＳ１４０）。取得した光センサ出力ＳＶ１が選択した閾値よりも大きい場合、判定処理部５３は、検知信号を出力して、ディスク４が挿入されたことを通知する。
【００３３】
再生処理部９１は、検知信号によってディスク４が挿入されたことが通知されると、ディスク４をローディングして再生処理を開始する（ステップＳ１５０）。
【００３４】
判定処理部５３は、取得した光センサ出力ＳＶ１が選択した閾値よりも大きくなるまで、選択した閾値と光センサ出力ＳＶ１とを比較する動作を繰り返す（ステップＳ１３０，Ｓ１４０）。
【００３５】
このようにこの実施例１では、記憶部５４に温度に対応した閾値が定義された閾値テーブルを記憶しておき、判定処理部５３は、ディスク４が挿入されたか否かを判別する前に、温度センサ３によって温度を測定して、測定した温度と閾値テーブルとに基づいて閾値を選択し、選択した閾値と光センサ２の光センサ出力ＳＶ１とを比較してディスク４が挿入されたか否かを判別するようにしているので、選別部品を用いることなく、正確にディスクを判別することができる。また、選別部品を用いる必要がないため、装置のコストを抑えることができる。
【００３６】
なお、この実施例１では、温度センサ３を媒体判別装置１内に備えるようにしたが、たとえば、記録媒体再生装置９内に温度センサがすでに備えられている場合には、記録媒体再生装置９内の温度センサを用いてもよい。すなわち、温度センサ３は、媒体判別装置１内に備える必要はなく、温度センサ３の出力である温度センサ出力ＴＯまたは温度センサ出力ＴＯ１など、媒体判別装置１に入力されて光センサ２が使用されている温度が識別できる情報を判定処理部５３に入力すればよい。
【実施例２】
【００３７】
実施例１では、温度変化によって閾値を選択するようにした。しかしながら、光センサの出力の変動は温度によるものだけではない。たとえば、前述したように、光センサに供給する電源電圧によっても光センサの出力は変動する。この実施例２では、光センサに供給する電源電圧によって閾値を選択するものである。
【００３８】
図７は、この発明における実施例２の媒体判別装置１ａの構成を示すブロック図である。この発明における実施例２の媒体判別装置１ａは、図３に示した実施例１の媒体判別装置１の温度センサ３の代わりに、電源センサ６を備えている。図３に示した実施例１の媒体判別装置１と同じ機能を備える構成部分には同一符号を付し、重複する説明は省略する。
【００３９】
電源センサ６は、光センサ２に供給する電源電圧を監視して、光センサに供給する電源電圧を電源センサ出力ＶＯとしてＡ／Ｄコンバータ５２に出力する。Ａ／Ｄコンバータ５２は、電源センサ出力ＶＯをデジタル値に変換して、変換した電圧値を電源センサ出力ＶＯ１として判定処理部５３に出力する。
【００４０】
記憶部５４は、図８に示すように、電源電圧に対応した閾値が定義された閾値テーブルを記憶する。図８に示した閾値テーブルは、電源電圧が低い場合（電源電圧低）の閾値として閾値ＳＨ２１が、電源電圧が中の場合（電源電圧中）の閾値として閾値ＳＨ２２が、電源電圧が高い（電源電圧高）の場合の閾値として閾値ＳＨ２３が定義されている。これらの閾値は、図９に示すように、電源変動や部品バラツキ、環境温度、経年変化などの部品に依存する条件と、シースルーディスクの透過率を考慮した場合の、光センサ出力ＳＶ１の変動に基づいて決定する。すなわち、ディスク挿入時の光センサの出力のバラツキによるバラツキ範囲１００と、ディスク挿入前の光センサの出力のバラツキによるバラツキ範囲１２０との間の動作可能範囲１１０内の適切な値に決定する。
【００４１】
つぎに、この発明における実施例２の媒体判別装置１ａを実施例１の媒体判別装置１の代わりに記録媒体再生装置９に備えた場合の動作を説明する。再生処理部９１からディスク４を挿入するローディング動作要求を受けると、判定処理部５３は、Ａ／Ｄコンバータ５２から入力される電源センサ出力ＶＯ１を取得する。
【００４２】
判定処理部５３は、取得した電源センサ出力ＶＯ１に基づいて、記憶部５４に記憶されている閾値テーブルから閾値を選択する。具体的には、取得した電源センサ出力ＶＯ１が電源電圧低の範囲内の値であれば電源電圧低の閾値ＳＨ２１を選択し、取得した電源センサ出力ＶＯ１が電源電圧中の範囲の値であれば電源電圧中の閾値ＳＨ２２を選択し、取得した電源センサ出力ＶＯ１が電源電圧高の範囲の値であれば電源電圧高の閾値ＳＨ２３を選択して、ディスク４が挿入されたか否かの判別の閾値とする。
【００４３】
判定処理部５３は、Ａ／Ｄコンバータ５１から入力される光センサ出力ＳＶ１を取得する。判定処理部５３は、取得した光センサ出力ＳＶ１と選択した閾値とを比較する。取得した光センサ出力ＳＶ１が選択した閾値よりも大きい場合、判定処理部５３は、検知信号を出力して、ディスク４が挿入されたことを通知する。
【００４４】
再生処理部９１は、検知信号によってディスク４が挿入されたことが通知されると、ディスク４をローディングして再生処理を開始する。判定処理部５３は、取得した光センサ出力ＳＶ１が選択した閾値よりも大きくなるまで、選択した閾値と光センサ出力ＳＶ１とを比較する動作を繰り返す。
【００４５】
このようにこの実施例２では、記憶部５４に電源電圧に対応した閾値が定義された閾値テーブルを記憶しておき、判定処理部５３は、ディスク４が挿入されたか否かを判別する前に、電源センサ６によって電源電圧を測定して、測定した電源電圧と閾値テーブルとに基づいて閾値を選択し、選択した閾値と光センサ２の光センサ出力ＳＶ１とを比較してディスク４が挿入されたか否かを判別するようにしているので、選別部品を用いることなく、正確にディスクを判別することができる。また、選別部品を用いる必要がないため、装置のコストを抑えることができる。
【００４６】
なお、この実施例２では、電源センサ６を媒体判別装置１内に備えるようにしたが、たとえば、記録媒体再生装置９内に電源センサがすでに備えられている場合には、記録媒体再生装置９内の電源センサを用いてもよい。すなわち、電源センサ６は、媒体判別装置１内に備える必要はなく、電源センサ６の出力である電源センサ出力ＶＯまたは電源センサ出力ＶＯ１など、媒体判別装置１に入力されて光センサ２に供給されている電源電圧が識別できる情報を判定処理部５３に入力すればよい。
【００４７】
また、実施例１では温度によって閾値を選択し、実施例２では電源電圧によって閾値を選択するようにしたが、閾値を選択するパラメータは温度や電源電圧に限るものではなく、光センサの出力に影響を及ぼすものを用いればよい。また、閾値を選択するパラメータは１つに限るものではなく、複数の条件を組み合わせて閾値を選択してもよい。
【００４８】
たとえば、図１０に示すように、図３に示した実施例１の媒体判別装置１に電源センサ６とＡ／Ｄコンバータ５５とをさらに備え、記憶部５４には、図１１に示すように、電源電圧および温度に対応した閾値を定義した閾値テーブルを記憶する。図１１に示した閾値テーブルは、低温時でかつ電源電圧低の場合の閾値として閾値ＳＨ３１が、低温時でかつ電源電圧中の場合の閾値として閾値ＳＨ３２が、低温時でかつ電源電圧高の場合の閾値として閾値ＳＨ３３が、常温時でかつ電源電圧低の場合の閾値として閾値ＳＨ３４が、常温時でかつ電源電圧中の場合の閾値として閾値ＳＨ３５が、常温時でかつ電源電圧高の場合の閾値として閾値ＳＨ３６が、高温時でかつ電源電圧低の場合の閾値として閾値ＳＨ３７が、高温時でかつ電源電圧中の場合の閾値として閾値ＳＨ３８が、高温時でかつ電源電圧高の場合の閾値として閾値ＳＨ３９が定義されている。
【００４９】
この場合、判定処理部５３は、ローディング要求を受けると、温度センサ出力ＴＯ１および電源センサ出力ＶＯ１を取得して、取得した温度センサ出力ＴＯ１および電源センサ出力ＶＯ１の値に基づいて閾値テーブルから閾値を選択して、選択した閾値と光センサ出力ＳＶ１とを比較して、ディスク４の有無を判別すればよい。このように、温度および電源電圧に基づいて閾値を選択するようにすれば、閾値をより精度よく設定することができる。
【００５０】
また、実施例１および実施例２では、ＤＶＤやＣＤなどのディスクを再生する記録媒体再生装置９に媒体判別装置１を備え、ディスク４の有無を判別するようにしたが、媒体判別装置１が判別する媒体はこれに限るものではない。
【図面の簡単な説明】
【００５１】
【図１】従来の閾値と光センサの出力の変動との関係を示す図である。
【図２】この発明における実施例１の媒体判別装置を備える記録媒体再生装置の構成を示すブロック図である。
【図３】図１に示した媒体判別装置の構成を示すブロック図である。
【図４】温度による閾値テーブルの一例を示す図である。
【図５】温度による閾値と光センサの出力の変動との関係を示す図である。
【図６】この発明における実施例１の媒体判別装置の動作を説明するためのフローチャートである。
【図７】この発明における実施例２の媒体判別装置の構成を示すブロック図である。
【図８】電源電圧による閾値テーブルの一例を示す図である。
【図９】電源電圧による閾値と光センサの出力の変動との関係を示す図である。
【図１０】この発明における媒体判別装置の構成の一例を示す図である。
【図１１】温度および電源電圧による閾値テーブルの一例を示す図である。
【符号の説明】
【００５２】
１  媒体判別装置
２  光センサ
３  温度センサ
４  ディスク
５  マイコン
６  電源センサ
９  記録媒体再生装置
５１，５２，５５  Ａ／Ｄコンバータ
５３  判定処理部
５４  記憶部
【図１】
2005265695.tif 000003
【図２】
2005265695.tif 000004
【図３】
2005265695.tif 000005
【図４】
2005265695.tif 000006
【図５】
2005265695.tif 000007
【図６】
2005265695.tif 000008
【図７】
2005265695.tif 000009
【図８】
2005265695.tif 000010
【図９】
2005265695.tif 000011
【図１０】
2005265695.tif 000012
【図１１】
2005265695.tif 000013